(57)【要約】【課題】実撮影枚数と撮影予定枚数とを統合した情報を自動で取得して瞬時に参照することができる医用情報表示装置を提供すること。【解決手段】モダリティ１、２から送信されてくる医用画像を撮影枚数情報取得部４１ａにおいてカウントして検査時において実際に撮影された医用画像の枚数を取得するとともに、撮影予定枚数情報取得部４３によりＲＩＳ３から撮影予定枚数を取得する。比較部４１ｂにおいて実撮影枚数と撮影予定枚数とを比較し、この比較の結果、実撮影枚数と撮影予定枚数とに差異がある場合に、表示部４６にアラート表示を行う。【選択図】図１
2009089905.tif 000002
【特許請求の範囲】
【請求項１】
医用画像診断装置において撮影された医用画像の撮影枚数を取得する撮影枚数情報取得部と、
前記医用画像診断装置において撮影される医用画像の予定枚数を取得する撮影予定枚数情報取得部と、
前記取得された撮影枚数と予定枚数とを比較する比較部と、
前記比較の結果、前記撮影枚数と前記予定枚数とに差がある場合に、警告表示を行う警告部と、
を具備することを特徴とする医用情報表示装置。
【請求項２】
前記撮影枚数と前記予定枚数との差を前記医用画像診断装置毎に集計して視認可能に出力する出力部をさらに具備することを特徴とする請求項１に記載の医用情報表示装置。
【請求項３】
前記撮影枚数と前記予定枚数との差を前記医用画像の撮影日付毎に集計して視認可能に出力する出力部をさらに具備することを特徴とする請求項１に記載の医用情報表示装置。
【請求項４】
前記撮影枚数と前記予定枚数との差を前記医用画像の撮影者毎に集計して視認可能に出力する出力部をさらに具備することを特徴とする請求項１に記載の医用情報表示装置。
【請求項５】
前記出力部は、前記集計した前記撮影枚数と前記予定枚数との差を表形式又はグラフ形式で出力することを特徴とする請求項２乃至４の何れか１項に記載の医用情報表示装置。
【発明の詳細な説明】
【技術分野】
【０００１】
本発明は、撮影枚数と撮影予定枚数とを統合して参照できる医用情報表示装置に関する。
【背景技術】
【０００２】
従来、Ｘ線ＣＴ装置等の医用画像診断装置（モダリティ）において撮影された医用画像を実際の診断（読影を含む）に用いる前に、検像を行うようになってきている。このような検像を行う医用画像の通信システムにおいて、モダリティで得られた医用画像は、画像サーバに保管される前に検像用の専用のコンピュータである検像装置（医用情報表示装置）に送られる。検像装置では、画像の回転（患者の向きを揃える）、付帯情報の修正、ガンマ処理や階調調整等の画像処理、シリーズ編集等の、その後の読影作業を容易に且つ確実にするための準備作業としての検像処理が行われる。このような検像処理の終了後、検像済みの医用画像は画像サーバに送信されて保管される（例えば、特許文献１参照）。
【特許文献１】特開２００６−３３３８８９号公報
【発明の開示】
【発明が解決しようとする課題】
【０００３】
上述したような通信システムにおいて、検像装置には、放射線部門情報システム（ＲＩＳ）から、モダリティで撮影される予定の医用画像の枚数を示す撮影予定枚数も送信されてくる場合がある。この場合、従来は、ＲＩＳとモダリティとの間で撮影予定枚数の受け渡しがないため、モダリティにおいて写損が発生した場合や、新たに追加の撮影をする必要が生じた場合には、モダリティから検像装置に送られてくる医用画像の枚数（実撮影枚数）とＲＩＳから送られてくる撮影予定枚数との間に差が生じる場合がある。しかしながら、従来の検像装置においては、実撮影枚数の情報と撮影予定枚数の情報とが統合されて管理されておらず、実撮影枚数の情報と撮影予定枚数の情報とに差があっても、検像者はその旨を瞬時に認知することができない。
【０００４】
本発明は、上記の事情に鑑みてなされたもので、実撮影枚数と撮影予定枚数とを統合した情報を自動で取得して瞬時に参照することができる医用情報表示装置を提供することを目的とする。
【課題を解決するための手段】
【０００５】
上記の目的を達成するために、本発明の請求項１による医用情報表示装置は、医用画像診断装置において撮影された医用画像の撮影枚数を取得する撮影枚数情報取得部と、前記医用画像診断装置において撮影される医用画像の予定枚数を取得する撮影予定枚数情報取得部と、前記取得された撮影枚数と予定枚数とを比較する比較部と、前記比較の結果、前記撮影枚数と前記予定枚数とに差がある場合に、警告表示を行う警告部とを具備することを特徴とする。
【発明の効果】
【０００６】
本発明によれば、実撮影枚数と撮影予定枚数とを統合した情報を自動で取得して瞬時に参照することができる医用情報表示装置を提供することができる。
【発明を実施するための最良の形態】
【０００７】
以下、図面を参照して本発明の実施形態を説明する。  
図１は、本発明の一実施形態に係る医用情報表示装置を有する医用情報通信システムの全体構成を示す図である。図１に示す医用情報通信システムは、医用画像診断装置（モダリティ）１、２と、放射線部門情報システム（ＲＩＳ）３と、検像装置４と、画像サーバ５とを有し、これらがインターネットやＬＡＮ等から構成されるネットワーク６を介して相互にデータ通信自在に接続されている。
【０００８】
モダリティ１、２は、例えばＸ線診断装置、Ｘ線コンピュータ断層撮影装置（ＣＴ）、磁気共鳴映像装置（ＭＲＩ）、超音波診断装置、ガンマカメラ、ＳＰＥＣＴ、ＰＥＴ、ＣＲ等により構成され、被検体である患者を撮影して、医用画像を生成する。この医用画像には、患者を特定するための患者情報（患者氏名、患者ＩＤ、性別、年齢、住所等）や検査条件（検査日付、検査時刻、検査部位、撮影（検査）者、モダリティ種別、撮影装置名（モダリティの機種名）、アクセッション番号（検査受付番号）等）を示す検査情報等の付帯情報が添付される。
【０００９】
ここで、モダリティの数は図１に示す２台に限るものではない。即ち、１台でも３台以上であっても良い。
【００１０】
ＲＩＳ３は、放射線部門の業務を効率的に進めるコンピュータシステムであって、検査オーダの生成、受付業務、検査要求、検査会計情報の記録及び転送、フィルムを含む消耗品などの在庫管理等、多岐にわたる業務をコンピュータ処理する。
【００１１】
検像装置４は、モダリティ１、２で生成された医用画像に対する検像処理を実行可能に構成されたコンピュータである。ここでの検像処理には、医用画像の濃度（階調）の補正、医用画像に写っている患者の向き、左右マークの写込み、フィルムの掛向き（表裏）等の画像に関する補正の他、患者氏名、患者ＩＤ、性別、住所等の患者情報及び検査種類や検査の際のモダリティ種別等の検査情報の修正が含まれる。
【００１２】
画像サーバ５は、検像装置４で検像処理された医用画像をその付帯情報とともに保管する。図示しない読影装置（画像ビューア）からの医用画像の閲覧要求がなされた場合に、画像サーバ５は、要求がなされた読影装置に対して医用画像を送信する。
【００１３】
図２は、医用情報表示装置の一例としての検像装置４の内部の構成を示すブロック図である。なお、モダリティ１、２、ＲＩＳ３、画像サーバ５の詳細な構成については従来と同様で良く、また本実施形態の本質とも異なるのでここでは説明を省略する。
【００１４】
本実施形態における検像装置４は、上述したような検像処理に加えて検査の際にモダリティ２、３によって実際に撮影された医用画像の枚数（実撮影枚数）とＲＩＳ３において生成される検査オーダに含まれる情報である撮影予定枚数とを比較し、その結果を検像装置４の検像者に提示する処理を行う。この検像装置４は、制御部４１と、医用画像取得部４２と、撮影予定枚数情報取得部４３と、保存部４４と、操作部４５と、表示部４６とを有している。
【００１５】
制御部４１は、当該検像装置４に係る制御を統括的に実行する。さらに、この制御部４１は、撮影枚数情報取得部４１ａと、比較部４１ｂと、検像処理部４１ｃと、統計情報生成部４１ｄとしての機能も有している。
【００１６】
撮影枚数情報取得部４１ａは、医用画像取得部４２を介して取得される医用画像の枚数（１検査内においてシリーズ単位で撮影される医用画像の枚数）をカウントして撮影枚数を取得する。なお、シリーズとは、Digital Imaging and Communications in Medicine（ＤＩＣＯＭ）規格上の最小単位グループであり、撮影した身体の部位毎、画像発生時刻、造影剤の有無等の諸条件によって分けられる医用画像群のことである。また、撮影枚数はモダリティ１、２から送るようにしても良い。
【００１７】
比較部４１ｂは、撮影枚数情報取得部４１ａを介して取得される撮影枚数と、ＲＩＳ３から撮影予定枚数情報取得部４３を介して取得される撮影予定枚数とを比較して、枚数に差があるか否かを判定する。検像処理部４１ｃは、検像者による操作部４５の操作に従って、モダリティ１、２から送信されてきた医用画像に対する検像処理を実行する。統計情報生成部４１ｄは、撮影枚数情報取得部４１ａを介して取得される実撮影枚数と、ＲＩＳ３から撮影予定枚数情報取得部４３を介して取得される撮影予定枚数との比較結果から、実撮影枚数と撮影予定枚数との差に関する統計情報（詳細は後述する）を生成する。
【００１８】
医用画像取得部４２は、ネットワーク６を介してモダリティ１、２から送信されてくる医用画像を制御部４１に入力する。撮影予定枚数情報取得部４３は、ネットワーク６を介してモダリティ１、２から送信されてくる撮影予定枚数を制御部４１に入力する。
【００１９】
保存部４４は、ネットワーク６を介してモダリティ１、２から送信されてくる医用画像や医用画像に添付される付帯情報に記録されるパラメータ（患者情報及び検査条件）等の各種データを保存する。操作部４５は、検像者が当該検像装置４を操作するための操作部であり、例えば、キーボードやマウスから構成される。表示部４６は、検像処理の際に医用画像を表示する他、各種の医用情報を表示する。
【００２０】
以下、図２に示す検像装置４の動作について説明する。図３は、本実施形態に係る検像装置４における検像処理について示すフローチャートである。まず、モダリティ１、２において被検体の特定部位の撮影が行われ、医用画像が生成される。この医用画像には、上述した患者情報及び検査情報を含む付帯情報が添付される。付帯情報が添付された医用画像は検査単位でネットワーク６を介して検像装置４に送信される。
【００２１】
図３において、まずモダリティ１又は２から送信されてきた医用画像及びその付帯情報が医用画像取得部４２を介して受信されると、制御部４１は、受信された医用画像及びその付帯情報を保存部４４に保存する（ステップＳ１）。その後、制御部４１は、該医用画像に添付される付帯情報に記録されるパラメータ（患者情報及び検査情報等）を読み込み（ステップＳ２）、読み込んだパラメータに基づいて図４に示すような検査リストを表示部４６に表示させる（ステップＳ３）。
【００２２】
図４は、検査リストの表示例を示す図である。図４に示す検査リストにおいては、検査の情報（検査日付、モダリティ種別、撮影装置名等）を患者毎にリスト表示させている。後述する検像処理の際に、検像者は、操作部４５を操作して図４のようにリスト表示された検査の中から任意の検査を選択する。検査が選択されると、該検査において撮影された医用画像がシリーズ単位で表示される。この医用画像を見ながら検像者は検像を行うことが可能である。
【００２３】
ここで、本実施形態においては、検査リストを表示させる際に、検査の際にモダリティ１又は２で実際に撮影された医用画像の枚数（実撮影枚数）及びＲＩＳ３において生成された検査オーダに含まれる撮影予定枚数の情報も表示させるとともに、これらの枚数に差がある検査に対してはアラート表示を行うようにしている。以下のステップＳ４〜Ｓ７の処理はこのアラート表示を行うための処理である。
【００２４】
付帯情報に記録されるパラメータの読み込みの後、又はパラメータの読み込みと並列して、制御部４１は、撮影枚数情報取得部４１ａにより、モダリティ１又は２から検査単位で送信されてくる医用画像の枚数をシリーズ単位でカウントさせて実撮影枚数を取得する（ステップＳ４）。さらに、制御部４１は、撮影予定枚数情報取得部４３により、ＲＩＳ３に対して撮影予定枚数の取得要求を行ってＲＩＳ３から撮影予定枚数を取得する（ステップＳ５）。
【００２５】
実撮影枚数及び撮影予定枚数の取得後、制御部４１は、比較部４１ｂにより実撮影枚数と撮影予定枚数との比較を行い、実撮影枚数と撮影予定枚数とが一致しているかを判定する（ステップＳ６）。ステップＳ６の判定において、実撮影枚数と撮影予定枚数とが一致していない場合、制御部４１は、表示部４６に表示させている検査リストにおいて、実撮影枚数と撮影予定枚数とが一致していない検査に対し、図４に示すようにしてアラート表示を行う（ステップＳ７）。また、ステップＳ６の判定において、実撮影枚数と撮影予定枚数とが一致している場合に、制御部４１は、ステップＳ７の処理をスキップする。
【００２６】
ここで、アラート表示について説明する。図４の例では、検査リスト上にアラート表示用の表示欄１００を設けておき、実撮影枚数と撮影予定枚数とが一致していない検査に対しては、表示欄１００を所定の色（例えば赤色）に変化させるようにしている。なお、図４に示すアラート表示は一例であって適宜変更が可能である。例えば、アラート表示として、検査リスト上の該当の検査の各項目を点滅表示させる等しても良い。
【００２７】
ステップＳ６又はステップＳ７の後、制御部４１は、検像者の操作部４５の操作によって図４に示す検査リスト上の何れかの検査が選択されたかを判定する（ステップＳ８）。ステップＳ８の判定において、検査の選択がなされた場合に、制御部４１は、選択された検査に対する検像処理を実行する（ステップＳ９）。即ち、図４に示す検査リスト上の何れかの検査が選択された場合に、制御部４１は、選択された検査に係る医用画像を保存部４４から読み出して表示部４６に表示させ、その後は、検像者の操作に従って上述したような検像処理を実施する。検像処理の終了後は、ステップＳ１０に移行する。また、ステップＳ８の判定において、検査が選択されない場合にはステップＳ９の処理をスキップしてステップＳ１０に移行する。
【００２８】
ステップＳ８又はステップＳ９の後、制御部４１は、検像者による操作部４５の操作により、図４の参照符号１０１で示す統計表示ボタン１０１が押されたかを判定することにより、実撮影枚数と撮影予定枚数との差の統計情報の表示指示がなされたかを判定する（ステップＳ１０）。ステップＳ１０の判定において、実撮影枚数と撮影予定枚数との差の統計情報の表示指示がなされていない場合には、処理がステップＳ１３に移行する。一方、ステップＳ１０の判定において、実撮影枚数と撮影予定枚数との差の統計情報の表示指示がなされた場合には、検像者に、統計条件の入力を促す（ステップＳ１１）。ここで、統計条件とは、実撮影枚数と撮影予定枚数との差の統計情報を、撮影装置毎、撮影者毎、検査日付毎、モダリティ種別毎の何れで表示させるかを設定するための条件である。ステップＳ１１の後、検像者によって統計条件が入力された場合に、制御部４１は、統計情報生成部４１ｄにより、入力された統計条件に応じた統計情報を生成して表示部４６に表示させる（ステップＳ１２）。その後に、処理がステップＳ１３に移行する。ステップＳ１０又はステップＳ１３の後、制御部４１は、図４の参照符号１０２で示す終了ボタンが押されたかを判定することにより、図３の処理を終了させるかを判定する（ステップＳ１３）。ステップＳ１３の判定において、終了ボタン１０２が押されていない場合には、処理がステップＳ８に戻る。一方、終了ボタン１０２が押された場合に、制御部４１は、図３の処理を終了させる。
【００２９】
図５（ａ）〜図５（ｄ）は統計情報の表示例を示す図である。ここで、図５（ａ）は撮影装置毎の実撮影枚数と撮影予定枚数との差に関する統計情報を表形式で表示する場合の表示例を示し、図５（ｂ）は撮影者毎の実撮影枚数と撮影予定枚数との差に関する統計情報を表形式で表示する場合の表示例を示し、図５（ｃ）はモダリティ種別毎の実撮影枚数と撮影予定枚数との差に関する統計情報を表形式で表示する場合の表示例を示し、図５（ｄ）は検査日付毎の実撮影枚数と撮影予定枚数との差に関する統計情報を表形式で表示する場合の表示例を示している。各図における、「度数」は、検査リスト上に表示される検査において、実撮影枚数と撮影予定枚数とに差があった回数をそれぞれの統計条件毎に集計したものである。また、「累積度数」は、「度数」のある期間（例えば、１週間や１ヶ月、１年等）での累積値である。「平均」は「累積度数」をその累積期間で割った値である。これら、「度数」、「累積度数」、「平均」を検像者によって入力された統計条件毎に集計し、図５（ａ）〜図５（ｄ）に示すようにして表示させる。
【００３０】
ここで、図５（ａ）〜図５（ｄ）の例は、統計情報を表形式で表示させる例を示しているが、統計情報の表示形式は表形式に限るものではない。例えば、図６は、撮影装置毎の実撮影枚数と撮影予定枚数との差に関する統計情報をグラフ形式で表示する場合の表示例を示しており、このようなグラフ形式で統計情報を表示させても良い。
【００３１】
以上説明したように、本実施形態によれば、検査リストの表示時に、実撮影枚数と撮影予定枚数とを表示させるとともに、実撮影枚数と撮影予定枚数との差を自動的に算出し、両者に差があった検査についてはアラート表示を行うようにしているので、検像者は、実撮影枚数と撮影予定枚数との差を一括して参照することが可能である。
【００３２】
また、統計情報の表示により、実撮影枚数と撮影予定枚数との差を、撮影装置毎、撮影者毎、検査日付毎、モダリティ種別毎に比較することが可能である。
【００３３】
ここで、上述の実施形態では検像装置において算出される実撮影枚数と撮影予定枚数との差に関する情報を検像装置４のみで参照できる構成となっているが、実撮影枚数と撮影予定枚数との差やその統計情報を検像装置４からＲＩＳ３に送信し、ＲＩＳ３において実も撮影枚数と撮影予定枚数との差の情報及びその統計情報を参照できるようにしても良い。また、図２に示す比較部４１ｂ及び統計情報生成部４１ｄの機能をＲＩＳ３に持たせ、且つ実撮影枚数の情報をモダリティ１、２からＲＩＳ３に送信するようにすることで、ＲＩＳ３において、実撮影枚数と撮影予定枚数との差の情報及びその統計情報を生成できるようにしても良い。この場合には、ＲＩＳ３を本発明の一実施形態に係る医用画像表示装置と言うことができる。
【００３４】
また、上述の例では、統計情報を表示部４６に表示出力させる構成となっているが、紙媒体等に出力するようにしても良い。この場合には検像装置４内にプリンタが必要となる。
【００３５】
以上実施形態に基づいて本発明を説明したが、本発明は上述した実施形態に限定されるものではなく、本発明の要旨の範囲内で種々の変形や応用が可能なことは勿論である。
【００３６】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００３７】
【図１】本発明の一実施形態に係る医用情報表示装置を有する医用情報通信システムの全体構成を示す図である。
【図２】医用情報表示装置の一例としての検像装置の内部の構成を示すブロック図である。
【図３】本発明の一実施形態に係る検像装置における検像処理について示すフローチャートである。
【図４】検査リスト及びアラート表示の表示例を示す図である。
【図５】実撮影枚数と撮影予定枚数との差に関する統計情報の表示例を示す図である。
【図６】統計情報をグラフ形式で表示する場合の表示例を示す図である。
【符号の説明】
【００３８】
１，２…医用画像診断装置（モダリティ）、３…放射線部門情報システム（ＲＩＳ）、４…検像装置、５…画像サーバ、６…ネットワーク、４１…制御部、４１ａ…撮影枚数情報取得部、４１ｂ…比較部、４１ｃ…検像処理部、４１ｄ…統計情報生成部、４２…医用画像取得部、４３…撮影予定枚数情報取得部、４４…保存部、４５…操作部、４６…表示部
【図１】
2009089905.tif 000003
【図２】
2009089905.tif 000004
【図３】
2009089905.tif 000005
【図４】
2009089905.tif 000006
【図５】
2009089905.tif 000007
【図６】
2009089905.tif 000008